(57)【特許請求の範囲】
【請求項１】
浴室用の水栓設備であって、浴室内に設置したカウンターに水栓を一体的に組み込むとともに、該カウンターの前端部を斜めの面となして該斜めの面に該水栓の操作部を設け、該操作部の少なくとも１つが上下に回動するレバー式の操作部で且つ前記カウンターの一部にて構成してあることを特徴とする水栓設備。
【発明の詳細な説明】
【０００１】
【発明の属する技術分野】
この発明は水栓設備に関し、特に浴室の水栓設備として好適なものに関する。
【０００２】
【従来の技術】
従来、浴室内の水栓設備として図７に示すようなものが知られている。
この図７に示すものは、カウンター２００に水栓を一体的に組み込んだ形態のカウンター一体型の水栓設備であって、図中２０２はカウンター２００の前端部下面に下向きに設けた吐水口であり、２０４はカウンターの上面から起立する状態に設けたシャワーヘッド、２０６，２０８はそれぞれカウンターの上面に設けた水栓の操作部としての温調ハンドル（温度調節ハンドル）及び切替ハンドルである。
【０００３】
ここで温調ハンドル２０６は吐水の温度調節を行うものであり、また切替ハンドル２０８は、吐水口２０２からの吐水をシャワーヘッド２０４からの吐水に若しくはその逆に切り替えるものである。
この切替ハンドル２０８はまた、吐止水及び流量調節機能も有している。
【０００４】
しかしながらこの水栓設備の場合、ハンドル２０６，２０８がカウンター上面への出っ張りとなって、カウンター上面が煩雑な感じとなり、カウンター上面の美観を損なうのに加えて、カウンター２００の上面に腰を掛けたりするときにそのハンドル２０６，２０８が邪魔になり、或いはまたカウンター２００の上面を掃除する際に、同じくそれらハンドル２０６，２０８が邪魔となって掃除がし辛いといった不都合がある。
【０００５】
これに対し図８の例はカウンター２００の前端の縦の前面２００Ａにハンドル２０６，２０８を設けた例である。
しかしながらこのようにカウンター２００の縦の前面にハンドル２０６，２０８を設けた場合、カウンター２００の高さ位置が通常の位置であるとハンドル２０６，２０８の位置が低過ぎてその表示が見辛いものとなるとともに、ハンドル２０６，２０８の操作もし辛いものとなってしまう。
【０００６】
そこでカウンター２００の前面にハンドル２０６，２０８を設ける場合、その表示を見易くし、また操作をし易くするために、カウンター２００の位置そのものを高位置としなければならなくなる。
この場合水栓の使い勝手は良くなるものの、カウンター２００の高さが高い位置となってしまって、カウンター２００自体が使い辛くなってしまう問題を生ずる。
以上浴室内の水栓設備を例として説明したが、同様の問題は浴室以外の水栓設備においても共通に生じ得る。
【０００７】
【課題を解決するための手段】
本発明の水栓設備はこのような課題を解決するために案出されたものである。
而して請求項１のものは、浴室用の水栓設備であって、浴室内に設置したカウンターに水栓を一体的に組み込むとともに、該カウンターの前端部を斜めの面となして該斜めの面に該水栓の操作部を設け、該操作部の少なくとも１つが上下に回動するレバー式の操作部で且つ前記カウンターの一部にて構成してあることを特徴とする。
【０００８】
【作用及び発明の効果】
上記のように請求項１の水栓設備は浴室用の水栓設備であって、浴室内のカウンターに水栓を一体に組み込むとともに、カウンターの前端部を斜めの面となしてそこに水栓の操作部を設けたもので、本発明によれば、カウンターの上面に操作部を設けた場合のように操作部がカウンター上面から出っ張った状態となることがなく、従ってカウンターの上面を煩雑感のないすっきりとしたものとなし得て、カウンター上面の美観を良好となし得るとともに、カウンター上面に腰を掛けたときにハンドルが邪魔になるといったことがなく、或いはカウンターの上面を掃除する際に操作部が邪魔になるといったことがなく、カウンター上面の清掃性が良好となる。
【０００９】
また本発明では、操作部をカウンターの前端部の斜めの面に設けているため、その表示も見易い外、操作部の視認性も良く且つ操作性も良好である利点が得られる。
【００１０】
本発明ではまた、操作部の少なくとも１つを上下に回動するレバー式の操作部となし且つこれをカウンターの一部にて構成している。このようにしておけば、水栓の操作部がカウンターに構造上一体に融合した状態となり、高級感を醸し出すことができ、また美観を高めることができる。
【００１１】
本発明においては、上記水栓の操作部をリモコン操作部となしておくことができる。
このようにすれば、例えばカウンターの上面に水栓の吐水部を設ける場合においても、操作部の位置による制約を受けることなく操作部から離れた位置であって且つ吐水部として最適の位置に自由にその設置位置を選定することができる。
【００１２】
また本発明では、操作部の少なくとも１つを通常時は押込位置にあり、その状態で押込力を加えると突出し状態となるように構成しておくことができる。
例えば温度調節ハンドルの場合、季節の変り目に温度調節操作を行う程度で足りるものであって操作の頻度は高くない。
従ってこのような温調ハンドルについては、通常時は押込状態に保持させておき、必要な場合にのみこれを突出し状態として操作できるようにしておくだけで十分である。
【００１３】
而してこのように通常時は押込状態を保持させるようにしておけば、回転操作式のハンドルであっても、通常時はこれを押込位置に位置させておくことで、かかるハンドルが出っ張りとならないようにすることができる。
勿論本発明は温調ハンドル以外の他のハンドル等の操作部に適用することも可能である。
【００１４】
【実施例】
次に本発明を浴室の水栓設備に適用した場合の実施例を参考例とともに図面に基づいて詳しく説明する。
図１及び図２に示す参考例において、１０は洗い場で、１２は洗い場１０に隣接して設置された浴槽である。
図２において１４Ａ，１４Ｂ，１４Ｃ，１４Ｄは浴室の壁であり、１６は浴室の出入口、１８はその出入口を開閉する扉である。
ここで壁１４Ｃにはミラー２０が取り付けてある。
【００１５】
２２は壁１４Ｃに沿って設置されたカウンターであって、その上面が浴槽１２の上面と面一面とされている。
このカウンター２２の下方には棚板２４が設けてあり、その上に各種物品２６が載置できるようになっている。
【００１６】
カウンター２２は、浴槽１２とは反対側の端部が室内側に突き出しており、その突出部２２Ａに浴室の水栓が一体に組み込んである。
而してこの突出部２２Ａの奥部且つコーナ部には、水栓の吐水部２８が起立状態で設けてある。
【００１７】
この吐水部２８はシャワー吐水，整流吐水何れも可能で、その上端面に切替操作部３０が設けてある。
尚、この吐水部２８には図３に示しているようにカウンター２２内部において水栓本体から延び出した可撓性のホース３２が接続されており、吐水部２８がこのホース３２とともに引出可能とされている。
【００１８】
本例において、壁１４Ｃにはフック４０が設けてあって、そのフック４０に、ホース３２とともに引き出した吐水部２８を掛止可能となしてある。
カウンター２２の前端部は斜めの面３４とされており、その斜めの面３４に水栓の操作部としての回転ハンドル式の温調操作部３６と、薄型のレバー式の開閉操作部３８が設けてある。
【００１９】
ここで温調操作部３６及び開閉操作部３８はリモコン操作部となしてある。
但しこれら温調操作部３６，開閉操作部３８はリモコン操作部とせずに、直接水栓本体に連結状態として、そのようなリモコン操作部でない形態のものとなしておくこともできる。この点は以下の他の例においても同様である。
尚、この例では浴槽１２における上面の洗い場１０側の前端面も同様に斜めの面３４とされており、その斜めの面がカウンター２２の斜めの面にそのまま連続した形態をなしている。
【００２０】
図３に示しているように、薄型且つレバー状の開閉操作部３８は上下回動可能とされており、その上下回動によって吐水と止水とを行う。
一方回転ハンドル式の温調操作部３６は、図４（Ｉ）に示しているように通常時は押込位置に保持されており、且つその状態で上面が斜めの面３４と面一面をなすように構成してある。
【００２１】
而してこのハンドル３６を操作するには、先ず温調操作部３６に押込力を加える。すると温調操作部３６が図４（II）に示すように突出し状態となる。
そこでこれを摘んで左右に回転操作することで温度調節を行う(III)。
そして温度調節が終わった後これに押込力を加えると、温調操作部３６が図４（IV）に示すように再び押込状態となってその位置に保持される。
【００２２】
本例によれば、カウンター２２の上面に水栓の操作部を設けた場合のように操作部がカウンター２２の上面から突出し、出っ張りとなるようなことがなく、従ってカウンター２２の上面を煩雑感のないすっきりとしたものとすることができ、カウンター２２上面の美観を良好とすることができる。またカウンター２２上面に腰を掛けたときに操作部が邪魔となったり、或いはカウンター２２の上面を掃除する際に操作部が邪魔になるといったこともなく、カウンター２２の上面の清掃性が良好となる。
【００２３】
また温調操作部３６，開閉操作部３８をカウンター２２前端部の斜めの面３４に設けているため、その表示も見易い外、操作部の視認性も良く且つ操作性も良好である。
【００２４】
更に操作部３６，３８をリモコン操作部となしておくことで、例えばカウンター２２上面に水栓の吐水部２８を設ける場合においても、操作部３６，３８の位置による制約を受けることがなく、最適の位置に自由にその設置位置を選定することができる。
【００２５】
図５は水栓の操作部の他の形態例を示したもので、ここでは温調操作部４２が３つのシートスイッチ４２a，４２b，４２cから成っている。
更にまた開閉操作部４４が同様にシートスイッチから成っている。
この例の場合、操作部４２，４４の操作状態の如何に拘わらずそれら操作部４２，４４がカウンター２２の前端の斜めの面３４と同一面を形成しており、斜めの面３４においても何ら出っ張りとならない利点がある。
【００２６】
図６は水栓の操作部の更に他の形態例（本発明の実施例）を示したもので、この例ではカウンター２２の一部がそのまま上下に回動するレバー式の温調操作部４６及び開閉操作部４８として構成してある。
即ち温調操作部４６を上下に回動することで温度調節が行われ、また開閉操作部４８を上下に回動操作することで吐水と止水が行われる。
この例の場合、水栓の操作部４６，４８がカウンター２２に構造上一体に融合した状態となり、高級感を醸し出すことができ、また美観を高めることができる。
【００２７】
以上本発明の実施例を参考例とともに詳述したがこれはあくまで一例示であり、本発明は水栓の操作部を上例以外の他の様々な形態で設けることもできるなど、その主旨を逸脱しない範囲において種々変更を加えた形態で構成可能である。
【図面の簡単な説明】
【図１】  参考例である水栓設備を浴室内部とともに示す斜視図である。
【図２】  図１の浴室内部を上方から見た状態の斜視図である。
【図３】  同じ参考例の水栓設備とその周辺部を示す図である。
【図４】  同じ参考例の水栓設備における温調操作部をその使用方法とともに示す図である。
【図５】  他の参考例における水栓の操作部とその周辺部を示す図である。
【図６】  本発明の実施例における水栓の操作部とその周辺部を示す図である。
【図７】  従来の浴室の水栓設備の例を示す図である。
【図８】  従来の浴室の水栓設備の図７とは異なる例を示す図である。
【符号の説明】
２２  カウンター
３４  斜めの面
３６，４２，４６  温調操作部
３８，４４，４８  開閉操作部
【図１】
0004170573.tif 000002
【図２】
0004170573.tif 000003
【図３】
0004170573.tif 000004
【図４】
0004170573.tif 000005
【図５】
0004170573.tif 000006
【図６】
0004170573.tif 000007
【図７】
0004170573.tif 000008
【図８】
0004170573.tif 000009